(57)【要約】【課題】通常エラーになるデータを極力回復させ、かつエラーレートの低減を実現することが可能な光回線を利用した移動通信無線システム装置を提供する。【解決手段】光モジュール７ａの受信段とシリアルパラレル変換を行う直並列／並直列変換器１０の間にイコライザ８を具備し、イコライザ８のフィルタパラメータの初期値を予め光モジュールのタイプに応じて最適値を自動設定させ、基板ノイズや光特性劣化などの電気特性によるエラーが発生した時には、イコライザ８に数段用意したフィルタパラメータ値を自動切換およびデータ再送信を繰り返した後、最適化されたイコライザ８のフィルタパラメータ設定値でシステムを動作させる。【選択図】  図２
2004274585.tif 000002
【特許請求の範囲】
【請求項１】
伝送信号の波形補正を行うイコライザと、
前記イコライザにより波形補正された伝送信号のエラーを検出するエラー検出手段と、
前記エラーが検出されたときに、前記伝送信号の後段への出力を禁止する手段と、
前記エラーが検出されたときに、前記伝送信号の送信元に対し前記伝送信号の送信を中止させ、前記イコライザのパラメータを変更し、前記送信元に対し前記伝送信号を送信させる動作を前記エラーが検出されなくなるまで繰り返す手段と、
前記エラーが検出されなくなったときに、前記伝送信号の後段への出力を再開する手段と、
を備えることを特徴とする信号伝送システム。
【請求項２】
請求項１に記載の信号伝送システムにおいて、
前記エラー検出手段は、８Ｂ／１０Ｂエラー検出を行うことを特徴とする信号伝送システム。
【請求項３】
請求項１に記載の信号伝送システムにおいて、
動作開始時に前記イコライザに伝送路の部品の特性に対応した初期パラメータを設定する手段を更に備えることを特徴とする信号伝送システム。
【請求項４】
伝送信号の波形補正を行うイコライザを用いた信号伝送方法において、
前記イコライザにより波形補正された伝送信号のエラーを検出するエラー検出ステップと、
前記エラーが検出されたときに、前記伝送信号の後段への出力を禁止するステップと、
前記エラーが検出されたときに、前記伝送信号の送信元に対し前記伝送信号の送信を中止させ、前記イコライザのパラメータを変更し、前記送信元に対し前記伝送信号を送信させる動作を前記エラーが検出されなくなるまで繰り返すステップと、
前記エラーが検出されなくなったときに、前記伝送信号の後段への出力を再開するステップと、
を有することを特徴とする信号伝送方法。
【請求項５】
請求項４に記載の信号伝送方法において、
前記エラー検出ステップでは、８Ｂ／１０Ｂエラー検出を行うことを特徴とする信号伝送方法。
【請求項６】
請求項４に記載の信号伝送方法において、
動作開始時に前記イコライザに伝送路の部品の特性に対応した初期パラメータを設定するステップを更に有することを特徴とする信号伝送方法。
【発明の詳細な説明】
【０００１】
【発明の属する技術分野】
本発明は、光回線を使用した移動通信無線システムに関し、特に光モジュールの受信段（Ｏ／Ｅ）と、直並列変換を行う直並列変換器の間に搭載されるイコライザの改良に関する。
【０００２】
【従来の技術】
光回線を利用した移動通信無線システム装置の一例を、図１を参照して説明する。
【０００３】
近年、光通信において、１０Ｇｂｉｔｓイーサネット（登録商標）など高伝送容量化が進み、高速差動シリアルラインの電気特性劣化が問題になってきており、対処方法として、光モジュール７ａと直並列変換器１０ａ間にイコライザ８を入れ波形を補正させることで、エラーレートの増加を防止している。現在イコライザ８による波形補正方法としては、主に適応等化フィルタとハイパスフィルタの使用が考えられる。
【０００４】
なお、本願発明に関連する先行技術文献としては、以下のものがある。
【０００５】
【特許文献１】
特開２０００−０２２６０８号公報
【特許文献２】
特開２０００−１５１５１６号公報
【特許文献３】
特開平０４−２７４６２２号公報
【０００６】
【発明が解決しようとする課題】
しかしながら、適応等化フィルタは、入力波形の補正度はかなり良いが、回路規模が大きくコスト高であることと、波形が安定するまでのトレーニング領域数バイトが必要なため、遅延量が大きいとの可能性がある。
【０００７】
またハイパスフィルタでは、カットオフ周波数を固定とするため、光モジュールのマルチベンダー化を考えた場合、電気特性が個々に異なるので、最適なフィルタ値で波形補正ができなく、エラーレートの増大に繋がる。そこで、安価で遅延量が少ないフィルタを使用し、エラーレートを低減させる方式が必要となる。
【０００８】
そこで本発明は、通常エラーになるデータを極力回復させ、かつエラーレートの低減を実現することが可能な光回線を利用した移動通信無線システム装置を提供することを目的とする。
【０００９】
【課題を解決するための手段】
本発明の信号伝送システムは、伝送信号の波形補正を行うイコライザと、前記イコライザにより波形補正された伝送信号のエラーを検出するエラー検出手段と、前記エラーが検出されたときに、前記伝送信号の後段への出力を禁止する手段と、前記エラーが検出されたときに、前記伝送信号の送信元に対し前記伝送信号の送信を中止させ、前記イコライザのパラメータを変更し、前記送信元に対し前記伝送信号を送信させる動作を前記エラーが検出されなくなるまで繰り返す手段と、前記エラーが検出されなくなったときに、前記伝送信号の後段への出力を再開する手段と、を備えることを特徴とする。
【００１０】
また本発明の信号伝送方法は、前記イコライザにより波形補正された伝送信号のエラーを検出するエラー検出ステップと、前記エラーが検出されたときに、前記伝送信号の後段への出力を禁止するステップと、前記エラーが検出されたときに、前記伝送信号の送信元に対し前記伝送信号の送信を中止させ、前記イコライザのパラメータを変更し、前記送信元に対し前記伝送信号を送信させる動作を前記エラーが検出されなくなるまで繰り返すステップと、前記エラーが検出されなくなったときに、前記伝送信号の後段への出力を再開するステップと、を有することを特徴とする。
【００１１】
【発明の実施の形態】
本発明の信号伝送システムおよび信号伝送方法の包括的な構成を、図１に基づいて説明する。
【００１２】
図１を参照すると、上位装置（図示せず）との間でデータの送受信を行う無線基地局１と、携帯電話とデータの送受信を行う送受信機２と、その間を中継する光ファイバ３を備える。
【００１３】
上り回線は、送受信機２のアンテナ２０からの受信データに対しＤ／Ａ変換、逆拡散、ＲＡＫＥ合成等の処理を行う無線部４と、無線部４からのデータに対し多重分離、並直列変換（８Ｂ／１０Ｂ変換）等を行う信号処理部５を備える。更にシリアル化されたデータの形態を電気から光に変換する光モジュール６ａ（Ｅ／Ｏ部）と、光ファイバ３からの光の形態のデータを電気の形態のデータに変換する光モジュール７ａ（Ｏ／Ｅ部）と、電気の形態のデータの波形を最適化するためのイコライザ８を備える。更にイコライザ８のフィルタパラメータ値を設定するコントローラ９と、イコライザ８からのシリアルデータをパラレルデータに変換する直並列変換器１０ａと、１０Ｂ／８Ｂ変換等のデータ処理を行うベースバンド信号処理部１１を備える。
【００１４】
下り回線は、８Ｂ／１０Ｂ変換等のデータ処理を行うベースバンド信号処理部１１からのパラレルデータをシリアルデータに変換する並直列変換器１０ｂと、並直列変換器１０ｂからのシリアルデータの形態を電気から光に変換する光モジュール７ｂ（Ｅ／Ｏ部）を備える。更に光ファイバ３からの光の形態のデータを電気の形態のデータに変換する光モジュール６ａ（Ｏ／Ｅ部）と、直並列変換、データの多重分離、１０Ｂ／８Ｂ変換等を行う信号処理部５と、変調拡散、Ａ／Ｄ変換、増幅などを行う無線部４を備える。
【００１５】
なお、８Ｂ／１０Ｂ変換とは、直流成分を減少させるための８ビットパターンから１０ビットパターンの変換であり、１０Ｂ／８Ｂ変換とはその逆の変換である。
【００１６】
本発明のエラー発生に対応するための詳細構成について、図２を用いて説明する。
【００１７】
イコライザ８のフィルタパラメータ値の切り替えは、直並列変換器１０ａからの出力信号から、エラー検出をしたときに、フラグＥＲ＿ＤＥＴ５２をセットする８Ｂ／１０Ｂエラー検出器５１と、ＥＲ＿ＤＥＴ５２を検知し、イコライザ８のフィルタパラメータを設定するためのＰＡＬ制御部５３と設定レジスタ５４が連携して行う。
【００１８】
なお、８Ｂ／１０Ｂエラー検出とは、あり得ない１０ビットパターンを検出したときに、エラーが発生していると判断するものである。
【００１９】
データ再送において、エラー発生時データ出力の停止指令を行うＣＯＮＴ＿ＤＡＴＯＦＦ制御部５５と、ベースバンド信号処理部１１からのデータ出力を停止させるＤＡＴＯＦＦ機能部５６と、信号処理部５にデータの停止及び再送を要求するデータ転送停止／再送要求制御部５７と、その停止再送要求を受信し指令を行うデータ転送停止／再送指令制御部５８と、データを記憶しておくＲＡＭ部５９で構成される。
【００２０】
次に、本実施の形態の波形補正を実施する動作を、図２の構成図、図３のフローチャート、図４のタイミングチャートを用いて説明する。
【００２１】
まず、本移動通信無線システム装置の電源ＯＮ（ステップ１０１）又は、リセットを実施するとコントローラ９が光モジュール６内部に搭載されているメモリより、品名、ベンダー等の種別読み込みを実施（ステップ１０２）後、各々光モジュール６の電気出力特性に対応した固有のフィルタパラメータ値をイコライザ８の設定レジスタ５４に初期設定を行う（ステップ１０３）。
【００２２】
本移動通信無線システム装置の送受信の動作開始（ステップ１０４）後、８Ｂ／１０Ｂエラー検出器５１にて８Ｂ／１０Ｂエラーが発生しない場合（ステップ１０５）は通常モードになる（ステップ１０６）。
【００２３】
８Ｂ／１０Ｂエラーが発生した場合（ステップ１０５）は、図４のタイミングチャートに示すとおり、まず、コントローラ９がＥＲ＿ＤＥＴ５２を検知後、ＣＯＮＴ＿ＤＡＴＯＦＦ制御部５５からＤＡＴＯＦＦ機能部５６にデータ出力停止（ステップ１０７）を行うと同時に、コントローラ９からデータ転送停止／再送要求制御部５７にデータ転送停止要求を行う（ステップ１０８）。停止要求のデータは、下り回線ユーザーデータの空き領域に挿入されて、光ファイバ３を通してデータ転送停止／再送指令制御部５８にて受信される。ＲＡＭ部５９はデータ停止要求を受け、ＲＧ（リードゲート）がネゲートされ、データ出力停止となる。
【００２４】
次にＥＲ＿ＤＥＴ５２を検知したＰＡＬ制御部５３が、イコライザ８の設定レジスタ５４にフィルタパラメータ値Ｋ（ｉ）の変更をかけるよう指令する（ステップ１０９）。書き込み後、前述のデータ停止要求と同様のシーケンスでデータ転送停止／再送要求制御部５７にデータ再送要求を行い（ステップ１１０）、再送要求のデータは信号処理部５のデータ転送停止／再送指令制御部５８にて受信される。ＲＡＭ部５９はデータ再送要求を受け、ＲＧ（リードゲート）がアサートされ、データ再送開始される（ステップ１１１）。
【００２５】
データ再送のリミット回数をｎ回、用意したフィルタパラメータ値数をｉ個としたとき、ｎ＜ｉ中に８Ｂ／１０Ｂエラーが発生しなければ（ステップ１０５）、通常モードに入り、ＤＡＴＯＦＦ機能部５６からのデータの出力を再開する（ステップ１０６）。８Ｂ／１０Ｂエラーが発生した場合（ステップ１０５）、フィルタパラメータ値を変更し、再書き込み行うため、データ出力停止へ戻り（ステップ１０７、ｎ＝ｉになっても、８Ｂ／１０Ｂエラー１０５が発生したならば（ステップ１０５）、データ再送中断１１２し（ステップ１１２）、上位にアラームを上げる。
【００２６】
（他の実施の形態）
本発明の信号伝送システムおよび信号伝送方法の他の実施の形態について、図５、図６を用いて説明する。図５はデージーチェーンを利用した全体的な構成を示すブロック図である。送受信機２ａと送受信機２ｂは、光ファイバー３を通じて無線基地局１にデージーチェーンで接続され、送受信機２ａ，２ｂの受信段のイコライザ２０１，２０３にて波形補正を実施させる。
【００２７】
図６に、詳細なブロック構成図を記す。前述の実施の形態では、無線基地局１の受信段のイコライザ８で波形補正を実施していたが、この他の実施の形態において、波形補正を行うブロックは、送受信機２ａの光モジュール（Ｏ／Ｅ）６ｂからの電気出力を処理するイコライザＡ（２０１）と、送受信機２ｂからの上り信号を光モジュール（Ｏ／Ｅ）部２０２ｂにて光電変換された受信信号を処理するイコライザＢ（２０３）である。８Ｂ／１０Ｂエラー検出器Ａ（２０４）及び８Ｂ／１０Ｂエラー検出器Ｂ（２０５）において、８Ｂ／１０Ｂエラーが発生した場合は、コントローラ２０６がＥＲ＿ＤＡＴ２０７又はＥＲ＿ＤＡＴ２０８を検出して、イコライザＡ２０１又はイコライザＢ２０３のフィルタパラメータ値を書き換えを行い、前述の実施例と同様、再送リトライ方式のシーケンスを用いてシステム動作させる。
【００２８】
【発明の効果】
第１の効果は、最小規模の波形補正回路の構成で、伝送遅延量が小さく、低コスト化とエラーレートの低減が実現できる。その理由は、イコライザに回路規模の大きい適応等化フィルタを使用せず、安価なフィルタを用いる。併せて、光モジュールの電気出力特性（アイパターン特性）が品名毎、ベンダー毎に固有の特性を持つことを利用し、それに適応させた最適なフィルタ値を設定させるからである。
【００２９】
第２の効果は、再送リトライ方式を適用したことで、更なるエラーレートの低減が可能である。その理由は、最適と想定される初期フィルタパラメータ値と、ノイズやインピーダンスマッチングによる電気特性の劣化をある程度想定した数個のフィルタ値の中から、再送リトライによって、最適なフィルタを選択させるためである。
【図面の簡単な説明】
【図１】本発明の光回線を利用した移動通信無線システム装置の包括的な構成を示すブロック図である。
【図２】本発明の移動無線システム装置の実施の形態を示すブロック図である。
【図３】図２の移動通信システム装置において、再送リトライ方式を示すフローチャートの図である。
【図４】図２の移動通信システム装置において、再送リトライ方式のタイミングチャートの図である。
【図５】本発明の移動無線システム装置の他の実施の形態の全体構成を示すブロック図である。
【図６】本発明の移動無線システム装置の他の実施の形態を示すブロック図である。
【符号の説明】
１  無線基地局
２  送受信機
３  光ファイバ
４  無線部
５  信号処理部
６ａ，６ｂ  光モジュール
７ａ，７ｂ  光モジュール
８  イコライザ
９  コントローラ
１０  直並列／並直列変換器
１０ａ  直並列変換器
１０ｂ  並直列変換器
１１  ベースバンド信号処理部
５１  ８Ｂ／１０Ｂエラー検出器
５２  ＥＲ＿ＤＥＴ
５３  ＰＡＬ制御部
５４  設定レジスタ
５５  ＣＯＮＴ＿ＤＡＴＯＦＦ制御部
５６  ＤＡＴＯＦＦ機能部
５７  データ転送停止／再送要求制御部
５８  データ転送停止／再送指令制御部
５９  ＲＡＭ部
２０１  イコライザＡ
２０２ａ，２０２ｂ  光モジュール
２０３  イコライザＢ
２０４  ８Ｂ／１０Ｂエラー検出器
２０５  ８Ｂ／１０Ｂエラー検出器Ｂ
２０６  コントローラ
２０７  ＥＲ＿ＤＡＴ＿Ａ
２０８  ＥＲ＿ＤＡＴ＿Ｂ
【図１】
2004274585.tif 000003
【図２】
2004274585.tif 000004
【図３】
2004274585.tif 000005
【図４】
2004274585.tif 000006
【図５】
2004274585.tif 000007
【図６】
2004274585.tif 000008